【手続補正書】
【提出日】平成20年2月26日(2008.2.26)
【手続補正１】
【補正対象書類名】特許請求の範囲
【補正対象項目名】全文
【補正方法】変更
【補正の内容】
【特許請求の範囲】
【請求項１】
最大ｋ個の機能的ブロックと、
スケーラブル・スイッチング・ネットワーク（ＳＮ）と
から構成される集積回路であって、
前記スケーラブル・スイッチング・ネットワーク（ＳＮ）は、
第１の複数のＮ（Ｎ＞１）組のスイッチと、
Ｍ（最大ｋ×Ｎ）個のピンを有する第１ポートから成り、
前記ＳＮは第１組のＩ個の導体をさらに備え、Ｉ＝Ｍ〜ｋ×Ｎ個の数であり、前記Ｉ個の導体はj＝１〜Ｎの数とするＮ組のIj個の導体に分割され、IjはI/Nとほぼ等しく、前記（Ｍ−Ｎ＋１）とＭの間の数の前記第１ポートのピンは、（Ｍ−Ｎ＋１）とＭの間の数のＸ個のスイッチを持つ別の導体のトラバーサルを必要とせず、前記第１の複数のＮ組のスイッチの各組のスイッチを介して、前記第１組のＩ個の導体のＮ組のIj個の導体のそれぞれに選択的に結合し、
前記ＳＮは、第２の複数のＮ組のスイッチと第２のＮ個のポートをさらに有し、前記第２のＮ個のポートは最大ｋ個のピンを備え、ｋは少なくともj＝１〜ＮとするIjの最大値と等しく、前記Ｎ組の前記Ij個の導体の各々のIj個の導体は前記第２の複数のＮ組のそれぞれの組のスイッチを介して、別の導体をトラバーサルする必要なく、前記第２の複数のＮ組のスイッチの各ポートにある最大ｋ個のピンに選択的に結合し、前記各組のスイッチは最大Ij x k個のスイッチを備え、
前記第２の複数のＮ個の各ポートにある最大ｋ個の各ピンは、最大ｋ個の前記機能的ブロックのＮ個のピンの各ピンに物理的に接続されるされることを特徴とする集積回路。
【請求項２】
最大Ｎ個のピンを備える１つのポートを持つ前記各機能的ブロックは実質的かつ論理的に同じであって、ｋ＞１、Ｎ＞１とする、最大ｋ個の機能的ブロックを提供するステップと、
最大ｋｘＮの数となるＭ個のピンと、第１の複数のＮ組のスイッチを備える第１ポートを介して、スケーラブル・スイッチング・ネットワーク（ＳＮ）を提供するステップと、
第１組のＩ個の導体を前記ＳＮに提供するステップであって、Ｉ＝Ｍ〜ｋｘＮ、ｊ＝1〜Ｎとする前記Ｉ個の導体はＮ組のIj個の導体に分割され、IjはI/Nにほぼ等しい数であるステップと、
Ｘ＝（Ｍ−Ｎ＋１）〜Ｍであって、Ｘ個のスイッチを持つ別の導体のトラバーサルを必要とせず、（Ｍ−Ｎ＋１）とＭの間の数の前記第１ポートを、前記第１の複数のＮ組のスイッチの各組のスイッチを介して、前記第１組のＩ個の導体のＮ組のIj個の導体のそれぞれに選択的に結合するステップと、
第２の複数のＮ組のスイッチと第２の複数のＮ個のポートをＳＮに提供するステップであって、前記Ｎ個のポートのそれぞれは最大ｋ個のピンを有し、ｋは少なくともj=1〜Ｎとする最大数Ijと等しい数であるステップと、
Ｎ組のIj個導体のそれぞれのIj個の導体を、別の導体のトラバーサルを必要とせず、前記第２の複数のＮ組のスイッチの各組のスイッチを介して、前記第２の複数のＮ個のポートの各ポートにある最大ｋ個のピンに選択的に結合するステップであって、前記各組のスイッチは、Ijx最大ｋ個のスイッチを有するステップと、
前記第２の複数のＮ組のポートの各ポートにあるの最大ｋ個のピンを、前記第１の複数の最大ｋ個の機能的ブロックの前記Ｎ組のピンの各々に物理的に接続するステップと
から構成される方法。
【請求項３】
Ｍ個のピンを有する第１ポートと、Ｎ個のポートのそれぞれに最大ｋ個のピンを有する第２の複数のＮ個のポートを備えるスケーラブル・スイッチング・ネットワーク（ＳＮ）と、
Ｉ１個の導体を有するｊ＋１組の第１組の導体の各導体に物理的に接続された前記第１ポートの各ピンであって、前記（ｊ＋１）組の導体の（ｊ＋１）個目の導体はｋｘＮ個の導体を有し、Ｉ１はＭと同じ数である各ピンと、
各組がｉ＝１〜Ｎ２とするI2(i)個の導体を持つＮ２組の導体に分割されたＩ２個の導体を有するｊ＋１組の第２組の導体と、
ｑ＝１〜Ｎ２とするＮ２組のＩ３(q)個の導体に分割されたＩ３個の導体を有するｊ＋１組の第３組の導体とから構成され、
ＳＮにおいて、ｊ個の整数ＮｊにおいてＮ１＝１であり、ｊ＞１とするＮｊは１より大きい数であり、複数のｊ個のスイッチとｊ＋１組の導体において、Ij個の導体を持つｊ組の各導体のそれぞれはIj個の導体を備え、ｊ＞２とするIｊはＭとｋｘｎの間の数であり、（ｊ＋１）組の導体と複数のｊ個のスイッチを介して、第２の複数のＮ個のポートにある各ピンは、ｊ＋１組の導体およびｊ個の複数のスイッチのみを介して、少なくとも（Ｍ−Ｎ２＋１）個の前記第１のポートに選択的に結合し、
ｊ＋１組の第２組の導体において、各I2(i)はほぼI2/N2に等しく、前記複数のｊ個のスイッチの中の第１の複数のスイッチのＸ個のスイッチ介して、前記第１の組の導体のI1 N2+1とI１の間の数の導体は前記第２組のI2個の導体の前記I2(i)個の各導体に選択的に結合し、このときＸはI1 N2+1とI１の間の数であり、
ｊ＋１組の第３組の導体において、Ｉ３(q)はほぼI3/N2に等しく、Ｉ３(q)個の各導体は、ｓ＝１〜Ｎ３とするＮ３組のI3(q,s)個の導体にさらに分割され、各I3(q,s)はほぼI3/N2/N3に等しく、前記第２組のI2個の導体の（I2(i) N3+1)とI2(i)の間の数の導体は、前記複数ｊ個のスイッチの第２の複数のスイッチのＹ個のスイッチ介して、r=１〜Ｎ３とする前記第３組の導体のI3(i,r)個の導体に選択的に結合し、Ｙは（Ｉ２(i) Ｎ３＋１）とＩ２(i)の間の数であることを特徴とする電子システム。
【請求項４】
スケーラブルスイッチングネットワーク（ＳＮ）を提供するステップと、
第２の複数のポートにある各ピンを、ｊ＋１組の導体と複数ｊ個のスイッチのみを介して、少なくとも第１ポートにある（Ｍ−Ｎ２＋１）個のピンに選択的に連結するステップと、
前記第１ポートの各ピンを、Ｉ１個の導体を有するｊ＋１組の導体の第１組の導体に各導体に物理的に接続するステップであって、ｊ＋１組の導体のｊ＋１組目の導体はｋｘＮ個の導体を有し、Ｉ１はＭと等しいステップと、
各Ｉ２(i)がI2/N2にほぼ等しいＩ２個の導体を備えるｊ＋１組の導体の第２組の導体を、i＝１〜Ｎ２とする各導体がＩ２(i)個の導体を持つＮ２組の導体に分割するステップと、
まず、各Ｉ３(q)がI2/N2にほぼ等しいＩ３個の導体を有するｊ＋１組の導体の第３組の導体をｑ=１〜N２とするＮ２組のI3(q)個の導体に分割し、さらに、Ｉ３(q)個の各導体を、Ｉ３(q,s)はぼぼI3/N2/N3と等しく、ｓ＝１〜Ｎ３とするＮ３組のＩ３(q,s)個の導体に分割するステップと
から構成され、
ＳＮを提供するステップには、Ｍ個のピンを備える第１のポートと、最大ｋ個のピンをＮ個の各ポートに備える第２の複数Ｎ個のポートと、ｊ＞１となるようにＮ１は１に等しく、Ｎｊは１より大きい数であるｊ個の整数Ｎｊと、ｊ＞２とする複数ｊ個のスイッチとｊ＋１組の導体とを備え、その各導体はＩｊ個の導体を有し、ＩｊはＭと（ｋｘＮ）の間の数であり、
前記第１組の導体の(I1 N2+1)〜I1個の導体は、複数ｊ個のスイッチのうち第１の複数のスイッチのＸ個のスイッチを介して、Ｉ２個の導体の前記第２組のI２(i)個の各導体に選択的に連結し、Ｘは(I1 N2+1)とI1の間の数であり、
前記第２組のＩ２個の導体の（Ｉ２(i)  Ｎ３＋１）とＩ２(i)の間の数の導体は、複数ｊ個のスイッチのうちの第２の複数のスイッチのＹ個のスイッチを介して、ｒ＝１〜Ｎ３とする前記第３組のI3(i,r)個の各導体に選択的に接続し、Ｙは（Ｉ２(i)  Ｎ３＋１）とＩ２(i)の間の数とすることを特徴とする電子システムを提供する方法。
【請求項５】
第１のスイッチングネットワークと、
第１の複数のスイッチと
第２の複数のスイッチと、
から構成される集積回路であって、
前記第１のスイッチングネットワークは、
第１の複数Ｍ個の導体と、
第２の複数のＮ（Ｎ＞２）組、ｋ（ｋ＞ｄ）個の導体と、
第４の複数のＮ組およびｑ（ｑはほぼＭ／Ｎ）個の導体を有する第３の複数Ｉ個の導体とから構成され、
前記第１の複数のＭ個の導体のそれぞれは、前記第１の複数のスイッチを介して前記第３の複数のＩ個の導体に接続し、前記第１の複数のＭ個の導体は、前記第４の複数のＮ組、ｑ個の各組のｑ個の導体の１つに選択的に接続し、
前記第４の複数のＮ組、ｑ個の導体の各組のｑ個の各導体は、別の導体への選択可能な接続を必要とすることなく、前記第２の複数のＮ組、ｋ個の導体の各組ある全ての導体に選択的に接続することを特徴とする集積回路。
【請求項６】
集積回路に第１のスイッチングネットワーク（ＳＮ）を提供する方法であって、
第１の複数のＭ個の導体を前記第１のＳＮに提供するステップと、
第２の複数のＮ（Ｎ＞２）組およびｋ（ｋ＞２）個の導体を前記第１のＳＮに提供するステップと、
第４の複数のＮ組とｑ（ｑ＝Ｍ／Ｎ）個の導体を提供するステップを有し、第３のＩ個の導体を前記第１のＳＮに提供するステップと、
第１の複数のスイッチを前記第１のＳＮに提供するステップと、
前記第１の複数のＭ個の導体のそれぞれを、前記第１の複数のスイッチを介して、前記第３の複数のＩ個の導体に、選択的に接続するステップと、
前記第１の複数のＭ個の導体のそれぞれを、前記第４の複数のＮ組、ｑ個の導体のそれぞれのｑ個の導体の１つに選択的に接続するステップと、
第２の複数のスイッチを前記第１のＳＮに提供するステップと、
別の導体への選択可能な接続を必要とすることなく、前記第４の複数のＮ組、ｑ個の導体の各組にあるｑ個の各導体を、前記第２の複数のＮ組、ｋ個の導体の各組にある全ての導体に選択的に接続するステップと、
から構成される方法。